(57)【要約】【課題】オーバーフローコイン容器内において均一にコインが貯留されるようにしながらも、回転ディスクの回転に際する負荷を低減することが可能なコイン投出装置を提供する。【解決手段】コインを貯留するコイン容器２と、コイン容器２下側のベース面５１上に回動可能に設けられた回転ディスク３を備える。回転ディスク３とベース面５１との間にコイン容器２内より取り込まれたコインを、該回転ディスク３を回転させるのに伴わせて投出することが可能である。コイン容器２からオーバーフローするコインを、オーバーフローコイン容器Ｙに案内するオーバーフローコイン案内路８を備える。オーバーフローコイン案内路８は、コイン容器２の縁に沿って、コイン容器２における手前側部分Ｔよりコイン容器２におけるオーバーフローコイン容器Ｙ側に至りさらに奥に向かって延在するような経路に設定されている。【選択図】　　　　図１
2004073742.tif 000002
【特許請求の範囲】
【請求項１】
遊技者により遊技機に投入されるコインを貯留するコイン容器と、該コイン容器の下側に配されたベース面上に回転可能に設けられた回転ディスクと、を備え、該回転ディスクと前記ベース面との間に前記コイン容器内より取り込まれたコインを、該回転ディスクを回転させるのに伴わせて投出することが可能なコイン投出装置において、
前記コイン容器からオーバーフローするオーバーフローコインを、当該コイン投出装置の横隣に配されるオーバーフローコイン容器に向けて案内するオーバーフローコイン案内路を更に備え、
前記オーバーフローコイン案内路は、前記コイン容器の縁に沿って、該コイン容器における手前側部分より前記オーバーフローコイン容器側に至りさらに奥に向かって延在し、該オーバーフローコイン容器の略中央部に前記オーバーフローコインを流下させるような経路に設定されていることを特徴とするコイン投出装置。
【発明の詳細な説明】
【０００１】
【発明の属する技術分野】
本発明は、コイン投出装置に関する。
【０００２】
【従来の技術】
従来より、例えばスロットマシン等の遊技機内に備えられるコイン投出装置が知られている。
このようなコイン投出装置は、上側に向け開口する箱形に形成されコインを貯留するコイン容器と、このコイン容器の下側に配されるベース面と、このベース面上に回動可能に設けられた回転ディスク等を備えている。
この回転ディスクは、該回転ディスクの表裏を貫通するコイン取込穴を有し、このコイン取込穴を介してコイン容器内のコインをベース面との間に取り込み可能となっている。
さらに、回転ディスクの裏面側には、該回転ディスクとベース面との間に取り込まれたコインを、該回転ディスクの回動に伴って後押することにより、ベース面上の通過口近傍に運んだ後、該通過口を介して当該回転ディスクの遠心方向に投出するコイン押出部（「ひれ」ともいう。）が設けられている。
つまり、回転ディスクは、コイン取込穴によりコインを取り込んで回転するのに伴わせて該コインを当該コイン投出装置外に順次投出することができるようになっている。
【０００３】
ところで、コイン容器は、例えば遊技店の店員が予め投入しておいたコインを貯留するほか、遊技者が遊技のために遊技機に投入したコインも貯留するようになっている。しかし、遊技者によるコインの投入量がコイン投出装置からの投出量に対し多くなりすぎた場合等には、コイン容器内のコイン貯留量が多くなりすぎてしまい、コインがコイン容器からオーバーフローしてしまう。
このため、従来より、コイン投出装置の横隣には、オーバーフローするコイン（オーバーフローコイン）を貯留するためのオーバーフローコイン容器を設置するとともに、コイン容器には該コイン容器内からのオーバーフローコインをオーバーフローコイン容器に向け案内するオーバーフローコイン案内樋（オーバーフローコイン案内路；いわゆるシュート）を設けることが一般的となっている。
【０００４】
【発明が解決しようとする課題】
ところで、遊技者により投入されるコインはコイン容器において手前側部分に落下するようになっているため、従来は、オーバーフローコイン案内樋をコイン容器の手前側の辺に沿って設けることが一般的となっていた。
しかしながら、この場合は、オーバーフローコインがオーバーフローコイン容器において手前側部分ばかりに積み重なるのに対し、奥側部分にはコインがあまり溜まらない。つまり、オーバーフローコイン容器内において不均一にコインが貯留されてしまう。
このため、オーバーフローコイン容器内がコインで満たされたわけではないのに該オーバーフローコイン容器からコインがこぼれ落ちたりするので、オーバーフローコイン容器内のコインを頻繁に取り出したり、或いは、時々オーバーフローコイン容器内のコインの山を崩して均一にならしたりする必要がある。よって、不便である。
【０００５】
このような問題に鑑み、近年では、例えば図９に示すように、平面視においてコイン容器１０１の手前側部分から斜め奥に向かうような経路にオーバーフローコイン案内樋１０２を配したコイン投出装置１００も考えられている。この場合、オーバーフローコインをオーバーフローコイン容器（図示略）の略中央部（前後方向において略中央部）に流下させることができるので、オーバーフローコイン容器内において比較的均一にコインが貯留されることとなる。よって、オーバーフローコイン容器内からのコインの取り出し頻度を少なくすることができる等のメリットがある。
しかしながら、オーバーフローコイン案内樋１０２は、例えば上側に開口する断面コ字状の別部材をコイン容器２の上部に設けることで構成したものであるため、オーバーフローコイン案内樋１０２がこのような配置であると、該オーバーフローコイン案内樋１０２がコイン容器１０１内におけるコインの貯留領域の上側を大きく覆うこととなってしまう（図１０参照）。
従って、コイン容器１０１内に、オーバーフローコイン案内樋１０２の下面に達するまでコインが貯留された場合、回転ディスク１０３（図９）は、回転するに際してコインを介してオーバーフローコイン案内樋１０２の下面より抵抗を受ける。つまり、コイン容器１０１内においてオーバーフローコイン案内樋１０２の下側領域に貯留されるコインが回転ディスク１０３の回転の抵抗になり、回転ディスク１０３の回転に負荷が加わってしまう。
【０００６】
この発明は、上記のような問題点を解決するためになされたもので、オーバーフローコイン容器内において均一にコインが貯留されるようにしながらも、回転ディスクの回転に際する負荷を低減することが可能なコイン投出装置を提供することを目的とする。
【０００７】
【課題を解決するための手段】
上記課題を解決するため、
請求項１記載の発明は、例えば図１等に示すように、
遊技者により遊技機に投入されるコインを貯留するコイン容器２と、該コイン容器の下側に配されたベース面５１上に回転可能に設けられた回転ディスク３と、を備え、該回転ディスクと前記ベース面との間に前記コイン容器内より取り込まれたコインを、該回転ディスクを回転させるのに伴わせて投出することが可能なコイン投出装置１において、
前記コイン容器からオーバーフローするオーバーフローコインを、当該コイン投出装置の横隣に配されるオーバーフローコイン容器Ｙに向けて案内するオーバーフローコイン案内路（オーバーフローコイン案内樋８）を更に備え、
前記オーバーフローコイン案内路は、前記コイン容器の縁に沿って、該コイン容器における手前側部分より前記オーバーフローコイン容器側に至りさらに奥に向かって延在し、該オーバーフローコイン容器の略中央部Ｃに前記オーバーフローコインを流下させるような経路に設定されていることを特徴としている。
【０００８】
請求項１記載の発明によれば、オーバーフローコイン案内路は、オーバーフローコインをオーバーフローコイン容器の略中央部に流下させるので、オーバーフローコイン容器内において均一にコインが貯留されるようにできる。
しかも、オーバーフローコイン案内路は、前記コイン容器の縁に沿って、該コイン容器における手前側部分よりオーバーフローコイン容器側に至りさらに奥に向かって延在する経路に設定されているので、オーバーフローコイン案内路がコイン容器におけるコインの貯留領域の上側を覆うことがなくなる。よって、回転ディスクの回転に際する負荷を低減することができる。
要するに、オーバーフローコイン容器内において均一にコインが貯留されるようにしながらも、回転ディスクの回転に際する負荷を低減できる。
【０００９】
【発明の実施の形態】
以下、図面を参照して、本発明に係る実施の形態について説明する。
【００１０】
先ず、コイン投出装置の概略構成について説明する。
図１〜図６に示すように、本実施の形態のコイン投出装置１は、例えばスロットマシン用であり、コインを貯留するコイン容器２と、コイン容器２の下側に配されるベース面５１（図３等）と、このベース面５１上に回転可能に設けられた回転ディスク３（図３、図５等）と、この回転ディスク３を回転駆動させる駆動装置としての駆動モータ４（図２等）と、コイン容器２からオーバーフローするオーバーフローコインを、当該コイン投出装置１の横隣に配されるオーバーフローコイン容器Ｙ（図１）に向けて案内するオーバーフローコイン案内樋（オーバーフローコイン案内路）８（図１、図２、図４等）、コイン容器２等を上部に支持する台状部９等を備えて概略構成されている。
【００１１】
このうち、コイン容器２は、図１、図２、図３、図５に示すように、上方に開口する箱形形状をなしていて、該コイン容器２の底部には、該コイン容器２内に回転ディスク３を臨ませることが可能な寸法の開口部２ａ（図６）が形成されている。
【００１２】
また、回転ディスク３は、例えば図３及び図５等に示すように、略円盤状に構成された本体部３１を備える。この本体部３１には、該本体部３１の表裏を貫通するコイン取込穴３２が形成されている。このようなコイン取込穴３２は、例えば、複数（具体的には例えば４つ）が本体部３１の円周方向に並んで配されている。なお、各コイン取込穴３２は、回転ディスク３の回転中心に対しオフセットされた配置となっている。これらコイン取込穴３２は、より具体的には、直径がコインより大きく設定された、例えば円形の穴である。そして、このコイン取込穴３２を介してコイン容器２内のコインを回転ディスク３とベース面５１との隙間に流下させる（取り込む）ことが可能となっている。
さらに、回転ディスク３の裏面には、該回転ディスク３の回転に伴いコインを後押しして投出させるコイン押出部（図示略）が、当該回転ディスク３の回転方向において、各コイン取込穴３２に対する後ろ側位置に設けられている。
このように、回転ディスク３は、コイン取込穴３２を介してコイン容器２内のコインを流下させてベース面５１との間に取り込み可能であるとともに、この取り込んだコインを回転に伴わせてコイン投出装置１外に投出する。
【００１３】
また、ベース面５１は、図５に示すように、コイン摺動面５１１と、コイン投出通路５１２と、上段部５１３とを備えて構成されている。
このうち、コイン摺動面５１１は、外周が回転ディスク３と略等しい円形状の平面に設定されている。そして、回転ディスク３とベース面５１のコイン摺動面５１１との隙間に取り込まれたコインは、該回転ディスク３の回転に伴い、コイン押出部により後押しされて、該回転ディスク３の円周方向に沿って、コイン摺動面５１１に片面を接した状態で摺動する。また、コイン投出通路５１２は、コイン摺動面５１１と連続面をなす平面となっている。このコイン投出通路５１２は、回転ディスク３の回転に伴わせてコインをコイン摺動面５１１より遠心方向に向けて当該コイン投出装置１外に投出する際に、コインを通過させる。
さらに、上段部５１３は、これらコイン投出通路５１２およびコイン摺動面５１１よりも上段に形成されることで、これらコイン摺動面５１１およびコイン投出通路５１２の外周壁部（コインの案内壁部として機能する）を形成している。なお、ベース面５１は、例えば平板状のベース面構成部材５２により構成されている。また、このベース面構成部材５２は、例えば、上面によりコイン摺動面５１１およびコイン投出通路５１２を構成する平板状の下側構成部材５２ａと、上段部５１３を構成する上側構成部材５２ｂとからなる。すなわち、上側構成部材５２ｂは、例えば下側構成部材５２ａと同様の外形を有するが、中央部をコイン摺動面５１１とコイン投出通路５１２を合わせた形状に刳り抜かれ、下側構成部材５２ａと外周が一致するように該下側構成部材５２ａ上に設けられている。
【００１４】
また、ベース面構成部材５２の（ベース面５１に対し）裏面側には駆動モータ４が設けられ、図２に示すように、駆動モータ４の駆動軸４１は、ベース面５１のコイン摺動面５１１の中央より該コイン摺動面５１１に対し垂直に突出している。そして、この駆動軸４１により回転ディスク３が軸受けされている。この状態で、回転ディスク３は、駆動モータ４により該回転ディスク３の盤面方向に回動駆動されるようになっている。
【００１５】
ここで、ベース面構成部材５２は、図２及び図３に示すように、コイン容器２と台状部９との境界部において、例えば水平面に対し傾斜状態に設けられ、この状態で、ベース面５１上の回転ディスク３は上記開口部２ａを介してコイン容器２内に臨んだ状態とされている。
【００１６】
なお、上記の構成のうち、コイン容器２、オーバーフローコイン案内樋８及び台状部９等は樹脂成形により一体成型され本体部５を構成している（後述）。
また、ベース面構成部材５２（ベース面５１を含む）、回転ディスク３及び駆動モータ４等は回転ディスクユニット６として一体的に構成された後に本体部５に取付けられている（後述）。
【００１７】
コイン投出装置１は以上のように概略構成され、コイン取込穴３２を介して回転ディスク３とコイン摺動面５１１（ベース面５１）との間にコインを取り込んだ状態で回転ディスク３が回転すると、コインは、コイン押出部により後押しされてコイン摺動面５１１とコイン投出通路５１２との境界部の通過口（図示略）に向け運ばれる。
この際、コインは、上段部５１３に対し外周端面を接するとともに、コイン摺動面５１１に対し片面を接した状態で、該コイン摺動面５１１に対し円弧状に摺動する。
そして、コイン押出部により後押しされたコインがコイン投出通路５１２に臨む位置に達すると、コインはコイン押出部３３により遠心方向に後押しされて上記通過口を介してコイン投出通路５１２へと導出され、該コイン投出通路５１２およびコイン投出口７（図５）を介して当該コイン投出装置１外へと投出される。なお、コイン投出口７は、本体部５の側面（例えば手前側側面）に形成されるスリット状の開口である。
このように、コイン投出装置１は、回転ディスク３の上面側よりコイン取込穴３２を介して取り込んだコインを、該回転ディスク３の回転に伴わせて当該コイン投出装置１の外部に１枚ずつ順次投出することができる。
なお、コイン投出装置１は、上記通過口をコインが通過する毎に揺動する揺動レバー（図示略）と、該揺動レバーが揺動したことを検出する検出センサ１２（図６）とを備え、該検出センサ１２による揺動レバーの揺動の検出数を計数することによりコインの投出数を計数可能となっている。
【００１８】
次に、オーバーフローコイン案内樋８について詳細に説明する。
【００１９】
先ず、オーバーフローコイン案内樋８は、図１に示すように、平面視において、コイン容器２における手前側部分Ｔに端を発して、該コイン容器２におけるオーバーフローコイン容器Ｙ側の隅部Ｓを迂回し、該隅部Ｓの周りで略９０度カーブして、該コイン容器２の側方位置を奥に向かうような経路に設定されている。なお、オーバーフローコイン案内樋８とコイン容器２とは、例えば図２等に示すように、略鉛直に起立する１枚の境界壁部２ｂにより互いに仕切られている。すなわち、オーバーフローコイン案内樋８は、コイン容器２の縁（へり）に沿って（境界壁部２ｂに沿って）、該コイン容器２における手前側部分Ｔよりオーバーフローコイン容器Ｙ側に至り、ここからさらにコイン容器２の縁に沿って奥に向け延在するような経路に設定されている。
なお、オーバーフローコイン案内樋８は、図１の矢印Ｄに従って下り傾斜している。従って、コイン容器２よりオーバーフローするオーバーフローコインは、オーバーフローコイン案内樋８により矢印Ｄに従って流下案内される。
また、オーバーフローコイン案内樋８の下流側端部８１における下部には、該オーバーフローコイン案内樋８により流下案内されたコインを斜め下方に（オーバーフローコイン容器Ｙの略中央部に向けて）落下させる落下口８１ａが形成されている。
従って、オーバーフローコインは、コイン容器２の縁に沿って、該コイン容器２における手前側部分Ｔより、該コイン容器２におけるオーバーフローコイン容器Ｙ側に至り、該コイン容器２における隅部Ｓを迂回して奥に向け流下案内された（矢印Ｄに沿って流下案内された）後に、落下口８１ａを介してオーバーフローコイン容器Ｙの略中央部Ｃ（平面視において前後方向における略中央部）に落下（流下）する。
【００２０】
このように、オーバーフローコイン案内樋８は、オーバーフローコインをオーバーフローコイン容器Ｙの略中央部に流下させるので、該オーバーフローコイン容器Ｙ内において均一にコインが貯留されるようにできる。
しかも、オーバーフローコイン案内樋８は、コイン容器２の縁に沿って、コイン容器２における手前側部分Ｔより該コイン容器２におけるオーバーフローコイン容器Ｙ側に至りさらに奥に向かって延在するような経路に設定されているので、逆に言えば、コイン容器２は、平面視においてオーバーフローコイン案内樋８と重ならない領域に配されているので、オーバーフローコイン案内樋８がコイン容器２におけるコインの貯留領域の上側を覆うことがなくなる。
よって、回転ディスク３が回転するに際してコインを介してオーバーフローコイン案内樋８下面より抵抗を受けることがないので、回転ディスク３の回転に際する負荷を低減することができる。
【００２１】
なお、オーバーフローコイン案内樋８の底面は、例えば該オーバーフローコイン案内樋８の下流側部分においては（例えば図１に示す領域Ｒにおいては）、流下方向（矢印Ｄ方向）に対し直交方向の傾斜が下流側ほど急になるようなＶ溝状に形成されている。
このため、矢印Ｄに従って流下案内されるコインは、領域Ｒに達して以降は姿勢が次第に立ち上がり始め、最終的には（落下口８１ａより落下する直前には）端面をオーバーフローコイン案内樋８の底面に接して転がるような状態となる。ところで、図９に示すように、従来のコイン投出装置１００におけるオーバーフローコイン案内樋１０２は、例えば上側に開口する断面コ字状をなしていて、コインは該オーバーフローコイン案内樋１０２の底面に片面を接した状態で流下するようになっている。従って、オーバーフローコイン案内樋１０２の水平方向幅（流下方向に対する直交方向の幅）がある程度必要である（少なくともコインの直径よりは大きく設定する必要がある）。
これに対し、本実施形態のコイン投出装置１のオーバーフローコイン案内樋８は、下流側ほど傾斜が急になるＶ溝状に形成されていて、流下するコインが最終的にはその端面をオーバーフローコイン案内樋８の底面に接して転がるような状態となるため、該オーバーフローコイン案内樋８の水平方向寸法を極力小さく設定することができる。
よって、オーバーフローコイン案内樋８の経路を、コイン容器２の縁に沿って該コイン容器２における手前側部分よりオーバーフローコイン容器Ｙ側に至りさらに奥に向かって延在するように設定しても、コイン投出装置１の平面寸法を拡大することなくコイン容器２の容積を極力大きく確保することができる。よって、コインの貯留量を最大限に維持することができる。
【００２２】
次に、本実施形態のコイン投出装置１は、図２、図３、図５、図６に示すように、コイン容器２、オーバーフローコイン案内樋８及び台状部９の３つの部分を本体部５として樹脂成形により一体成型したことも一つの特徴としている。
すなわち、コインを貯留するコイン容器２と、コイン容器２からオーバーフローするオーバーフローコインを当該コイン投出装置１の横隣に配されるオーバーフローコイン容器Ｙに向けて案内するオーバーフローコイン案内樋８と、該オーバーフローコイン案内樋８及びコイン容器２を上部に支持する台状部９とを一体成型した。
ここで、コイン容器２及びオーバーフローコイン案内樋８を一体成型することを容易になしうるために、図１に示すように、コイン容器２及びオーバーフローコイン案内樋８の上面はほぼ全て平面視できる面により構成されている。従って、成型型枠をほぼ一方向（上方）に抜くことにより本体部５の上面側部分を構成することができる。
同様に、図２に示すように、台状部９も成型型枠を一方向（下方）に抜くことにより構成可能となっている。
【００２３】
また、本体部５へのベース面構成部材５２（ベース面５１を含む）、回転ディスク３及び駆動モータ４等の取付けは以下のようにして行う。
すなわち、図５及び図６に示すように、先ず、ベース面構成部材５２の下面に駆動モータ４等を取付ける一方で、該ベース面構成部材５２の上面には回転ディスク３等を取付けることで、回転ディスク３、駆動モータ４及びベース面構成部材５２等を一体化した回転ディスクユニット６を構成する。
他方、図６に示すように、台状部９の底部には開口部９ａが形成されている。そして、該開口部９ａより台状部９内に回転ディスクユニット６を挿入して、該回転ディスクユニット６を例えばビスなどの止着部材１０により台状部９内に固定することにより、本体部５に対しベース面構成部材５２、回転ディスク３及び駆動モータ４等を取付けることができるようになっている。
すなわち、ベース面５１を上面に有するベース面構成部材５２と、該ベース面上に回転可能に設けられた回転ディスク３と、該回転ディスク３の駆動モータ４とを一体的に構成した回転ディスクユニット６とを、本体部５（台状部９）の底部に開口した開口部９ａより該本体部５（台状部９）内に挿入して該本体部５（台状部９）に固定した。
【００２４】
ここで、従来は、例えば図１１に示すように、箱形（屋根型）の台状部１０９の上面にベース面構成部材（図示略）を取付け、該ベース面構成部材の裏面に駆動モータ（図示略）等を取付ける一方で該ベース面構成部材の上面には回転ディスク１０３（図９）等を取付けた後に、該回転ディスク１０３がコイン容器１０１内に臨むように該コイン容器１０１を台状部１０９上に取付けるようにしていた。
さらに、従来のオーバーフローコイン案内樋１０２は、図９及び図１０に示すように、上側に開口する断面コ字状の別部材（金属部材）をコイン容器２の上部に設けることで構成していた。
従って、従来の場合は、オーバーフローコイン案内樋１０２、コイン容器２及び台状部１０９をそれぞれ別個に製造した後にこれらを組み立てる必要があるため、コストがかかるという問題がある。
しかも、台状部１０９上にコイン容器１０１を取付ける構成のため、台状部１０９とコイン容器２との接合部１１０（図１１）に隙間があると、不正行為（例えば、細長いピン等を差し込んで駆動モータを不正に駆動させてコインを抜き取るようなゴト行為）が行われてしまう可能性があった。従って、上記隙間が生じる場合には不正行為防止用の加工を施す必要があった。
【００２５】
これに対し、本実施の形態のコイン投出装置１では、上記のように、コイン容器２、オーバーフローコイン案内樋８及び台状部９の３つの部分が本体部５として一体成型されているので、コイン投出装置１の組み立てが容易であるとともに低コスト化が図れる。
しかも、ベース面構成部材５２と、回転ディスク３と、駆動モータ４とを一体化することにより構成した回転ディスクユニット６を、本体部５の底部に開口した開口部９ａより該本体部５内に挿入して固定したので、本体部５の側面には細長いピン等を差し込めるような隙間がなく、従って、駆動モータ４に対する上記のような不正行為を防止することができる。
【００２６】
ところで、回転ディスクユニット６を本体部５に取付けるに際しては、図５及び図６に示すように、予め回転ディスクユニット６にハーネス１１を接続しておく。このハーネス１１は、駆動モータ４及び検出センサ１２をスロットマシンの本体部に対し電気的に接続するためのものであり、一端が検出センサ１２及び駆動モータ４に電気的に接続されている。
また、ハーネス１１の他端側には該ハーネス１１をスロットマシンの本体部に対し電気的に接続するためのコネクタ１３が接続されている。
ここで、図７等に示すように、コネクタ１３は、ハーネス１１よりも大径である。従って、コネクタ１３を本体部５の内側から外側に通過させるためのコネクタ通過口１４を、仮にベース面構成部材５２の取付位置よりも下側に形成したとすれば、このコネクタ通過口１４を介して不正行為が行われてしまう可能性がある。
そこで、本実施の形態のコイン投出装置１では、図７及び図８に示すように、コネクタ通過口１４を、回転ディスクユニット６の本体部５への取付け状態でベース面構成部材５２よりは上側となる位置に形成している。
また、検出センサ１２及び駆動モータ４はベース面構成部材５２の裏面側（下側）に取付けられているため、これら検出センサ１２及び駆動モータ４に接続されたハーネス１１も、回転ディスクユニット６を本体部５に取り付けた状態でベース面構成部材５２よりは下側に位置するのが自然である。
つまり、回転ディスクユニット６の本体部５への取付け状態でハーネス１１を本体部５の内側から外側に通過させるハーネス通過口１５は、ベース面構成部材５２よりは下側に位置するのが自然である。
そこで、本実施の形態のコイン投出装置１では、図７及び図８に示すように、ハーネス通過口１５をベース面構成部材５２よりも下側に形成するとともに、該ハーネス通過口１５とコネクタ通過口１４とを連続的に形成している。
なお、ハーネス通過口１５の内径はハーネス１１の外形とほぼ等しく設定されている。従って、ハーネス１１とハーネス通過口１５の内径との間には隙間が生じないので、ハーネス通過口１５がベース面構成部材５２よりも下側であっても上記のような不正行為は防止できる。
【００２７】
また、ハーネス１１を取り付けた状態の回転ディスクユニット６の本体部５への取付けは、例えば以下の要領で行う。
先ず、ハーネス１１の先端のコネクタ１３を本体部５内に差し入れ、該コネクタ１３を、回転ディスクユニット６を本体部５に対する取付位置に配置するよりも先にコネクタ通過口１４を介して本体部５の内側から外側に導出する。
次に、ハーネス１１をハーネス通過口１４内に配置する一方で、回転ディスクユニット６を本体部５に対する取付位置に配置し、該回転ディスクユニット６を止着部材１０により本体部５に対し止着する。
なお、ベース面構成部材５２の外形寸法と、該ベース面構成部材５２の取付位置における本体部５の内径寸法とはほぼ同じに設定されている。このため、回転ディスクユニット６を本体部５内に挿入する際にはベース面構成部材５２を傾ける（本体部５への取付状態に対し傾ける）。これにより、該挿入の際にベース面構成部材５２の外周端面と本体部５の内周面とでハーネス１１を挟み込んで痛めてしまうことを防止することができる。また、ベース面構成部材５２の本体部５への取付け状態で本体部５の内周面とベース面構成部材５２との間に隙間が生じないので、上記の不正行為を防止できる。
【００２８】
以上のような実施の形態によれば、オーバーフローコイン案内樋８は、オーバーフローコインをオーバーフローコイン容器Ｙの略中央部に流下させるので、オーバーフローコイン容器Ｙ内において均一にコインが貯留されるようにできる。しかも、オーバーフローコイン案内樋８は、コイン容器２の縁に沿って、該コイン容器２における手前側部分Ｔより該コイン容器２におけるオーバーフローコイン容器Ｙ側に至りさらに奥に向かって延在する経路に設定されているので、オーバーフローコイン案内樋８がコイン容器２におけるコインの貯留領域の上側を覆うことがなくなる。よって、回転ディスク３の回転に際する負荷を低減することができる。
要するに、オーバーフローコイン容器Ｙ内において均一にコインが貯留されるようにしながらも、回転ディスク３の回転に際する負荷を低減できる。
【００２９】
なお、上記の実施の形態では、スロットマシン用のコイン投出装置について説明したが、その他の遊技機用のコイン投出装置に本発明を適用しても良い。
また、オーバーフローコイン案内樋８がコイン容器２と一体である例について説明したが、オーバーフローコイン案内樋８はコイン容器２に別部材を取付けることにより構成しても良い。
【００３０】
【発明の効果】
請求項１に記載の発明によれば、オーバーフローコイン容器内において均一にコインが貯留されるようにしながらも、回転ディスクの回転に際する負荷を低減することができる。
【図面の簡単な説明】
【図１】コイン投出装置を示す平面図である。
【図２】図１のＡ−Ａ矢視断面図である。
【図３】図１のＢ−Ｂ矢視断面図である。
【図４】オーバーフローコイン案内樋（オーバーフローコイン案内路）を示す斜視図である。
【図５】コイン投出装置の本体部への回転ディスクユニットの取り付けを説明するための斜視図である。
【図６】コイン投出装置の本体部への回転ディスクユニットの取り付けを説明するための斜視図である。
【図７】ハーネス通過口の近傍を示す斜視図である。
【図８】ハーネスとベース面との上下位置関係を説明するための断面図である。
【図９】従来のコイン容器を示す平面図である。
【図１０】従来のコイン容器を示す斜視図である。
【図１１】従来のコイン容器を示す正面図である。
【符号の説明】
１　　　コイン投出装置
２　　　コイン容器
５１　　ベース面
３　　　回転ディスク
８　　　オーバーフローコイン案内樋（オーバーフローコイン案内路）
Ｙ　　　オーバーフローコイン容器
Ｔ　　　手前側部分
Ｃ　　　略中央部
【図１】
2004073742.tif 000003
【図２】
2004073742.tif 000004
【図３】
2004073742.tif 000005
【図４】
2004073742.tif 000006
【図５】
2004073742.tif 000007
【図６】
2004073742.tif 000008
【図７】
2004073742.tif 000009
【図８】
2004073742.tif 000010
【図９】
2004073742.tif 000011
【図１０】
2004073742.tif 000012
【図１１】
2004073742.tif 000013